(57)【要約】【課題】同一冷媒配管系の空気調和システムにおいて未登録室内機が存在する場合、自動的に室外機が未登録室内機の存在を認識し、登録を実施できるようにする事。【解決手段】未登録の室内機２０が波高値制限部２５により通信線５０上に流れる信号の波高値を制限する一方で、室外機１０が通信線５０上を流れる信号の波高値を波高値検出部１６により検出し、未登録室内機検出部１７において、その検出した波高値と登録時に波高値記憶部１８に記憶した波高値とを比較し、その結果、両波高値が異なる場合には未登録室内機があると判断し、それを室外機制御装置１５に伝えることで再度登録作業を行うことが可能となり、同一冷媒配管系に接続されている全ての室内機を登録することができる。【選択図】図１
2007032858.tif 000002
【特許請求の範囲】
【請求項１】
室外受信部及び室外送信部より構成される室外通信装置と室外機全般を制御する室外機制御装置を有する室外機と、室内受信部及び室内送信部により構成される室内通信装置と室内機全般を制御する室内機制御装置を有する室内機を複数接続して同一冷媒系統を構成し、前記室外通信装置及び複数の前記室内通信装置に接続される通信線を同一の通信線を介して接続してなる空気調和システムにおいて、前記室内機制御装置は前記空気調和システムに登録済みかどうかを判断し、未登録である場合は前記室内機通信装置に未登録であるある旨を出力する室内未登録判断部を備え、前記室内通信装置は、前記室内未登録判断部からの信号により前記通信線を流れるデータの波高値を制限する波高値制限部を備え、前記室外通信装置は、前記通信線を流れるデータの波高値を検出する波高値検出部と、検出した波高値を記憶する波高値記憶部と、複数のタイミングで得た波高値の変化により未登録室内機の存在を検出し前記室外機制御装置に報知する未登録室内機検出部を備えることを特徴とする空気調和機における未登録室内機追加装置。
【請求項２】
室内機制御装置は、現在室外機が送信中であるか他の室内機が送信中であるかの判断を行いその結果を波高値制限部に出力する波高値制限選択部を備えることを特徴とする請求項１に記載の空気調和機における未登録室内機追加装置。
【請求項３】
室外受信部及び室外送信部より構成される室外通信装置と室外機全般を制御する室外機制御装置を有する室外機と、室内受信部及び室内送信部により構成される室内通信装置と室内機全般を制御する室内機制御装置を有する室内機を複数接続して同一冷媒系統を構成し、前記室外通信装置及び複数の前記室内通信装置に接続される通信線を同一の通信線を介して接続してなる空気調和システムにおいて、前記室内機制御装置は前記空気調和システムに登録済みかどうかを判断し、未登録である場合は前記室内機通信装置に未登録であるある旨を出力する室内未登録判断部を備え、前記室内通信装置は、前記室内未登録判断部からの信号により前記通信線を流れるデータの波高値を制限する波高値制限部を備え、前記室外通信装置は、前記通信線を流れるデータの波高値を検出する波高値検出部と、検出した波高値を記憶する波高値記憶部と、前記波高値検出部の出力信号の変化により未登録室内機の存在を検出し前記室外機制御装置に報知する未登録室内機検出部を備えてなり、アドレスが未設定の前記室内機においては、アドレス未設定を確認する工程と、アドレスが未設定であると確認した場合には、前記波高値制限部により通信線上を流れる信号の波高値を制限する工程を備え、前記室外機においては、波高値を記憶する工程と、複数のタイミングで得た波高値を比較する工程と、波高値の変化により未登録室内機の有無を判断する工程と、未登録室内機が存在すると判断した場合、現在登録している前記室内機が全て停止したタイミングで再度登録を実施する工程とを備えることを特徴とする空気調和機における未登録室内機追加方法。
【請求項４】
室外機が、比較に基準とする通信線上の波高値を波高値記憶部に格納する工程は、前記室外機と室内機が通信を開始した直後の室内機のアドレスを決定する処理で実施されることを特徴とする請求項３に記載の空気調和機における未登録室内機追加方法。
【請求項５】
室内機制御装置は、現在室外機が送信中であるか他の室内機が送信中であるかの判断を行いその結果を室内通信装置に出力する波高値制限選択部を備え、前記室内通信装置は、登録の有無を判断する室内未登録判断部と前記波高値制限選択部からの信号により前記通信線を流れるデータの波高値を制限する波高値制限部を備え、アドレスが未設定の前記室内機においては、前記室外機が送信を実施しているタイミングで前記波高値制限部により通信線上を流れる信号の波高値を制限する、或いは他の前記室内機が送信を実施しているタイミングでは前記波高値制限部により通信線上を流れる信号の波高値を制限しない工程を備え、前記室外機においては、前記室外機が送信を実施しているタイミングで通信線上の
信号の波高値を記憶する工程と、前記室内機が送信を実施しているタイミングで通信線上の信号の波高値を記憶する工程と、両工程で記憶した波高値を比較する工程と、比較した結果両波高値が異なる場合に未登録室内機が存在すると判断する工程とを備えることを特徴とする請求項３に記載の空気調和機における未登録室内機追加方法。
【請求項６】
アドレス未設定の室内機が、波高値制限部により通信線上を流れる信号の波高値を制限する処理は、室外機と前記室内機の通信モードが前記室内機のアドレスを決定する等ではなく前記室内機のアドレスが決定した後のアドレス順に従ったポーリングによる通信が実施されている状況で実施する事を特徴とする請求項３から５のいずれか１項に記載の空気調和機における未登録室内機追加方法。
【発明の詳細な説明】
【技術分野】
【０００１】
本発明は、空気調和機における未登録室内機追加装置及び方法に関し、より特定的には、室外機から複数の室内機に対して順次的にポーリングを行うことにより、室外機と各室内機の通信が成立するシステムにおいて、登録が正しく実施できなかった室内機或いは追加された室内機を発見し追加登録するための方法に関する。
【背景技術】
【０００２】
空気調和機のシステムにおいて、一台の室外機に対し複数の室内機を接続するマルチという形態のものがある。これをマルチ型空気調和機と呼ぶ。
【０００３】
上記マルチ型空気調和機の一般的な構成は、室外機をマスタ、室内機をスレーブに割り当てているものが標準的である。上述したような構成によって、室外機と複数の室内機は、伝送媒体等を介して、自由に情報交換が可能となっている。一般的に、上記マルチ型空気調和機のような多数のスレーブを持つような通信システムでは、室内機同士の通信衝突防止を図るため、各室内機には、それぞれ重複することのない固有のアドレスが割り当てられている。
【０００４】
次に、上記通信システムにおける簡単なデータ伝送の原理を説明する。室外機は、通信要求の有無を問い合わせるメッセージ（室内機アドレスを含んでいる）を、各室内機に対して順番に送信している。このように、室外機から各室内機に対して順番に通信要求の有無を問い合わせることをポーリングという。
【０００５】
つまり、室外機から送信されるポーリングは、通信システム内を継続的に周回していることになる。各室内機は、自分宛のアドレスを含むポーリングを受信し、室外機に対してポーリングに対する応答を送信することで、室外機に対する送信権を得ることができる。それによって、室内機は室外機と通信することが可能となる。また、室外機は、各室内機の通信状態を把握することができ、通信システムに参加するすべての室内機を統括し管理することが可能となる。
【０００６】
ところで、従来の通信システムにおいて、各室内機のアドレスは、通信開始後に設定するのではなく、通信システムの構築時あるいは電源投入時に予め設定するようにしていた。すなわち、システム構築時或いは電源投入時に自動或いは手動により室内機内のアドレス設定装置などによって、各室内機に対しそれぞれ重複しないアドレスを設定し、当該アドレスを、室内機内のアドレス格納部に記憶させるとともに、室外機内のアドレス格納部にも記憶させるようにしていた。そのため、何らかの不都合により、通信システム構築時あるいは電源投入時に登録を実施することができなかった室内機が存在した場合、当該室内機にアドレスを付与するためには、操作者が未登録室内機の存在を認識し、その上で再度、上記アドレス設定装置を使用する等により、未登録の室内機に対してアドレスを付与しなければならなかった。
【０００７】
またこの課題に対して、未登録の機器を通常のポーリングにおいて検出する方法として、マスター機器は接続されているスレーブ機器（＃１，＃２，＃３）に対して毎回ポーリングして所定の伝送を行い。その途中の例えば１０回毎に１回、ポーリング１０，２０，３０のように未接続のスレーブ機器（＃４，＃５，＃６）に対しポーリングを行う。スレーブ機器＃４を新規追加したとき、スレーブ機器＃４から応答があるので、接続機器として設定し、その設定に基づき毎回ポーリングを行う。このようにしてスレーブ機器の追加を自動的に行うことが可能としたものがある。（例えば、特許文献１参照）。
【特許文献１】特開２００１−３３３０８３号公報
【発明の開示】
【発明が解決しようとする課題】
【０００８】
しかしながら、１０回に１回は通常のポーリングとは関係の無い情報を送信するため、無駄な送信が発生してしまう事となり、また、追加する機器のアドレスが事前にわかっている必要もあり、加えて室内機が複数接続されているマルチ型空気調和機の場合は、制御に必要となる情報がそのために運転情報が遅延してしまう結果となる。
【課題を解決するための手段】
【０００９】
前記課題を解決するために、本発明の空気調和機における未登録室内機追加装置及び方法は、室内機は、未登録の場合にはそれを判断し、未登録を報知する室内未登録判断部と通信線上を流れるデータの波高値を制限する波高値制限部を備え、また室外機は、通信線上に流れるデータの波高値を検出する波高値検出部と、その波高値の変化により未登録室内機の有無を判断する未登録室内機検出部とを備えたものである。
【００１０】
これにより、未登録の室内機を室外機が検出し、登録可能にすることを目的とする。
【発明の効果】
【００１１】
本発明の空気調和機における未登録室内機追加装置及び方法は、室外機と登録済みの他の室内機の通信を妨害することなく、室外機に対し登録のなされていない室内機が接続された通信線を利用して波高値の変化により室外機に対してその存在を通知することができる。
【発明を実施するための最良の形態】
【００１２】
第１の発明は、室外受信部及び室外送信部より構成される室外通信装置と室外機全般を制御する室外機制御装置を有する室外機と、室内受信部及び室内送信部により構成される室内通信装置と室内機全般を制御する室内機制御装置を有する室内機を複数接続して同一冷媒系統を構成し、室外通信装置及び複数の室内通信装置に接続される通信線を同一の通信線を介して接続してなる空気調和システムであって、室内機制御装置は空気調和システムに登録済みかどうかを判断し、未登録である場合は室内機通信装置に未登録であるある旨を出力する室内未登録判断部を備え、室内通信装置は、室内未登録判断部からの信号により通信線を流れるデータの波高値を制限する波高値制限部を備え、室外通信装置は、通信線を流れるデータの波高値を検出する波高値検出部と、検出した波高値を記憶する波高値記憶部と、検出した波高値の変化により未登録室内機の存在を検出し前記室外機制御装置に報知する未登録室内機検出部を備えることにより、登録のなされていない室内機が接続された通信線を利用して波高値の変化を利用して未登録を報知するため、室外機と他の登録済み室内機との通信を妨害することなく室外機に対してその存在を報知することができる。
【００１３】
第２の発明は、特に第１発明において、室内機制御装置は、現在室外機が送信中であるか他の室内機が送信中であるかの判断を行いその結果を波高値制限部に出力する波高値制限選択部を備えることにより、波高値制限を実施するタイミングを任意のタイミングで実施することが可能となる。
【００１４】
第３の発明は、アドレス未設定を確認する工程と、アドレスが未設定であると確認した場合には、前記波高値制限部により通信線上を流れる信号の波高値を制限する工程を備え、前記室外機においては、複数のタイミングで得た波高値を比較する工程と、波高値の変化により未登録室内機の有無を判断する工程と、未登録室内機が存在すると判断した場合、現在登録している前記室内機が全て停止したタイミングで再度登録を実施する工程とを
備えることにより、複数のタイミングで得た波高値を連続して比較することにより、確実に未登録室内機の存在を認識し再登録を実施することができる
第４の発明は、特に第３の発明において、未登録室内機検出部は、空気調和システムにおいて、初めて通信が開始された場合の通信線上に流れるデータの波高値を記憶しておく工程を持つことにより、波高値記憶部に格納した値と、現在の波高値検出部からの波高値を比較することで空気調和機の設置状況に応じた波高値で未登録室内機の存在を確実に認識することができる。
【００１５】
第５の発明は、特に第３発明において、未登録の室内機は、室外機が送信を実施している時は波高値制限を実施し、また、他の室外機が送信を実施している時には波高値制限を解除する工程を持つ一方、室外機は自らが送信しているときの波高値と室内機が送信している時の波高値を比較する工程を持つことにより、システムが設置された環境によりそれぞれの波高値の差が大きくない場合においても、確実に未登録室内機の存在を検出することができる。
【００１６】
第６の発明は、特に第３から第５の発明において、室内未登録判断部は、現在の室外機と複数の登録済み室内機との通信モードを判定し、室外機と室内機の通信モードが室内機のアドレスを決定する等ではなく室内機のアドレスが決定した後のアドレス順に従ったポーリングによる通信が実施されていると判定した場合に波高値制限部に指令を出すことにより、自己が未登録であることを確実に判断した後に未登録を報知することが可能となる。
【００１７】
以下、本発明の実施の形態について、図面を参照しながら説明する。なお、本実施の形態によって本発明が限定されるものではない。
【００１８】
（実施の形態１）
図１は、本発明の実施の形態１による空気調和システムのブロック図、図２は室外通信装置１２の構成図、図３は室内通信装置２１と室内機制御装置２４の構成図、図４は一般的なマルチ型空気調和機の通信概要図、図５は室内未登録判断部３０の処理内容を示すフローチャート、図６は波高値制限部２５を説明する回路図、図７は信号線５０上のデータに対する波高値制限有り無しを説明する模式図、図８は未登録室内機検出部１７の処理内容を示すフローチャートである。
【００１９】
以下図１から図８を用いて本実施の形態１の未登録室内機の報知及び検出について説明する。
【００２０】
図１において、室外機１１と室内機２０及び室内機４０は、共通の通信線５０により互いに接続されている。室外機１１は室内機２０及び室内機４０との通信を実現する室外通信装置１２と室外機全般の制御を行う室外機制御装置１５により構成されている。ここでは、実際に室外機を構成する室外機ファンや膨張弁等は省略している。
【００２１】
室内機２０は室外機１１との通信を実現する室内通信装置２１と室内機全般の制御を行う室内機制御装置２４により構成されている。室外機１１の説明と同様に、室内機２０を構成する室内ファン等は省略している。室内機４０の構成は、室内機２０と同様であるため、説明は省略する。上記により、空気調和システム１０が構成されている。
【００２２】
次に、図３、図４、図５、図６及び図７を用いて、如何にして室内機が未登録室内機の存在を報知するのかを説明する。
【００２３】
図３において、室内受信部２２は、通信線５０のデータを室内機制御装置２４に受け渡
すインターフェースである。また、室内送信部２３は、室内機制御装置２４からのデータを信号線５０に受け渡すインターフェースである。
【００２４】
波高値制限部２５は、室内機制御装置２４を構成する室内未登録判断部３０からの信号により、通信線５０に流れるデータの波高値を制限するものである。
【００２５】
ここで、一般的なマルチ型空気調和機の通信概要について図４を用いて説明する。
図４に示すように、一般的なマルチ型空気調和機では、電源投入後には室外機が接続されている室内機を把握するために、アドレス設定或いはアドレス確認が実施される（ステップ１）。その後、把握した室内機に対して順次ポーリングによる通信が開始される（ステップ２）。この順次ポーリングによる通信は、電源が遮断されるまで継続して実施される。
【００２６】
以下の説明において、アドレス設定或いはアドレス確認後のポーリングによる通信モードを通常通信モードと呼ぶこととする。
【００２７】
また、通信に使用されるコマンドは、アドレス設定或いはアドレス確認時と通常通信モードでは一般的に異なるコマンドが割り当てられるため、受信したコマンドによりいずれの通信モードであるかの判断は、容易につけることができる。
【００２８】
次に、室内未登録判断部３０の詳細な動作を、図５のフローチャートを用いて説明する。
【００２９】
ステップ１では、登録開始コマンドを室外機から受信したかどうかを判断する。例えば、登録終了後電源が投入された室内機の場合は、登録開始コマンドを室外機から受け取ることはできない。登録開始コマンドを受信した場合はステップ２へ進み、受信していない場合はステップ３へ進む。
【００３０】
ステップ２では、波高値制限部２５に対し制限解除の指令を出力し処理を終了する。
一方、ステップ３では自己アドレスの有無を判断する。アドレスを持つ場合はステップ４に進み波高値制限部２５に対し制限解除の指令を出力し処理を終了する。アドレスを持たない場合ステップ５へ進む。
【００３１】
ステップ５では、室内受信部２２からのデータを解析しステップ６へ進む。
ステップ６では、ステップ５で解析した内容により、現在通常通信モードか否かを判定する。通常通信モードで無い場合はステップ５に戻り通常通信モードになるのを待つ。通常通信モードである場合はステップ７に進む。
【００３２】
ステップ７では、通常通信モードにもかかわらずアドレスを持たないことで登録が必要と判断できるため、波高値制限部２５に対し制限を実施する要求を出力し処理を終了する。
【００３３】
上記の結果、室内未登録判断部３０から波高値制限の指令を受けた波高値制限部２５は、波高値の制限を実施する。
【００３４】
次に、波高値を制限する具体的な方法の一例を図６を用いて説明する。
波高値制限部２５は、通信線５０の電位をβＶ以下にする回路により構成されている。この回路は、通信線５０に接続されたツェナー電圧βＶのツェナーダイオード２６、ツェナーダイオード２６のアノード側を接地或いは開放するインバータ２７、及びインバータ２７を駆動する抵抗２８、２９である。インバータ２７をＯＮ／ＯＦＦさせる信号は室内未
登録判断部３０からの信号である。
【００３５】
室内未登録判断部３０からの信号がＨｉ（波高値制限実施）の場合はインバータ２７の出力はＬｏｗとなり、信号線４０の電圧はツェナー電圧であるβＶに制限される。一方、室内未登録判断部３０からの信号がＬｏｗ（波高値制限解除）の場合は、ツェナーダイオード２６のアノード側がインバータ２７によりオープンとなるので、電圧制限が解除される。
【００３６】
以上のようにして、室内未登録判断部３０が未登録であると認識した場合は、信号線５０に流れるデータの波高値を制限することが可能となる。
【００３７】
この様子を模式的に示したのが図７である。図７において、（Ａ）は未登録室内機が存在しない場合を示し、（Ｂ）は未登録室内機が存在する場合を示している。未登録室内機が存在しない場合には波高値αVで、室外機１１及び室内機４０は通信を実施している。一方、未登録室内機が存在する場合には、未登録である室内機２０が波高値を制限するため、波高値βVで、室外機１１及び室内機４０は通信を実施する事となる。
【００３８】
次に、信号線５０に流れるデータの波高値により、室外機１１が如何にして未登録室内機の存在を確認するのかを、図２及び図８を用いて説明する
図２において、室外受信部１３は、通信線５０のデータを室外機制御装置１５に受け渡すインターフェースである。また、室外送信部１４は、室外機制御装置１５からのデータを信号線５０に受け渡すインターフェースである。
【００３９】
波高値検出部１６は、信号線５０上を流れるデータの波高値を検出する。波高値記憶部１８は波高値検出部１６で検出した波高値を所定のタイミングで格納する。未登録室内機検出部１７は、波高値検出部１６からの検出値と波高値記憶部１８の格納値を比較することにより未登録室内機の存在を判断し、室外機制御装置１５に未登録室内機の有無を報知するものである。
【００４０】
次に、未登録室内機検出部１７の処理内容について図８のフローチャートを用いて説明する。
【００４１】
ステップ１では、現在アドレス登録或いは確認中であるかの判定を行い、アドレス登録或いは確認中であればステップ２へ進み、そうでなければステップ３へ進む。
【００４２】
ステップ２では、波高値検出部１６により測定された波高値を波高値記憶部１８に格納し、処理を終了する。
【００４３】
一方、ステップ３では、通常通信モードであるかどうかを判定する。通常通信モードで無い場合は処理を終了し、通常通信モードである場合はステップ４に進む。ステップ４では、波高値検出部１６で測定された現在の波高値と波高値記憶部１８に格納されている波高値を比較し、現在の波高値が波高値記憶部１８に格納されている値よりも小さい場合はステップ５に進み、そうでない場合は処理を終了する。
【００４４】
ステップ５では、波高値の違いにより未登録の室内機の存在が確認できたため、室外機制御装置１５に対し未登録室内機の存在を報知し、処理を終了する。
【００４５】
上記のように、未登録室内機検出部１７が通信線５０の現在の波高値と過去に記憶した値を比較することにより、室外機制御装置１５は未登録の室内機の存在を知ることができる。未登録室内機の存在を認識した室外機制御装置１５は、現在登録されている室内機が
全て停止するタイミングにあわせて、再度室内機の登録を行うことにより、全ての室内機の登録を行うことができる。
【００４６】
（実施の形態２）
図９は本発明の実施の形態２による室内通信装置２１及び室内機制御装置２４の構成図、図１０は波高値制限部２５を説明する回路図、図１１は波高値制限選択部３１の処理内容を示すフローチャート、図１２は未登録室内機検出部１７の処理内容を示すフローチャート、図１３は信号線５０上のデータに対する波高値制限有り無しを説明する模式図である。
【００４７】
以下図９、図１０、図１１、図１２及び図１３を用いて本発明の実施の形態２の未登録室内機の報知及び検出の動作について説明する。
【００４８】
ここで、図１、図２を用いて説明した全体の構成、及び、図４を用いて説明した一般的なマルチ型空気調和機の通信概要、図５を用いて説明した室内未登録判断部３０の処理内容は実施の形態１での説明と同様であるため省略する。
【００４９】
図９及び図１０において、室内受信部２２は、通信線５０のデータを室内機制御装置２４に受け渡すインターフェースである。また、室内送信部２３は、室内機制御装置２４からのデータを信号線５０に受け渡すインターフェースである。また、波高値制限部２５は、室内機制御装置２４を構成する室内未登録判断部３０と波高値制限選択部３１からの信号により、通信線５０に流れるデータの波高値を制限するものである。
【００５０】
本実施の形態２では、室内機が自らを未登録であると判断した場合、室外機が送信中と室内機が送信中で波高値の制限が異なることを大きな特徴としている。
【００５１】
図１１のフローチャートにより波高値制限選択部３１の処理内容を説明する。
【００５２】
ステップ１では、室内機未登録判断部３０の出力信号から未登録かどうかの判断をする。登録済みの場合は処理を終了し、未登録の場合はステップ２へ進む。
ステップ２では、室外機の通信が開始されたかどうかを受信したコマンドで判断する。室外機の送信が開始されたと判断した場合はステップ３へ進み、そうでない場合はステップ４に進む。
【００５３】
ステップ３では、波高値制限部２５に対し波高値制限を開始する要求を出力し、処理を終了する。一方ステップ４では、室内機の送信が開始されたかどうかを受信したコマンドで判断する。室内機の送信が開始されたと判断した場合はステップ５へ進み、そうでない場合は処理を終了する。ステップ５では、波高値制限部２５に対し波高値制限を解除する要求を出力し処理を終了する。
【００５４】
次に波高値を制限する具体的な方法の一例を図１０を用いて説明する
波高値制限部２５は、通信線５０の電位をβＶ以下にする回路である。この回路は、通信線５０に接続されたツェナー電圧βＶのツェナーダイオード２６。ツェナーダイオード２６のアノード側を接地或いは開放するインバータ２７、インバータ２７を駆動する抵抗２８、２９、及びインバータ２７をＯＮ／ＯＦＦさせるアンド回路３２により構成される。アンド回路３２の入力は、室内未登録判断部３０及び波高値制限選択部３１の出力である。
【００５５】
室内未登録判断部３０からの信号がＨｉ（未登録状態）の場合で、かつ、波高値制限選択部３１からの信号がＨｉ（室外機が送信中）の場合、アンド回路３２の出力はＨｉとな
り、インバータ２７の出力は接地状態となるので信号線５０の電圧はツェナー電圧であるβＶに制限される。
【００５６】
一方、室内未登録判断部３０からの信号がＨｉ（未登録状態）の場合で、かつ、波高値制限選択部３１からの信号がＬｏｗ（室内機が送信中）の場合、アンド回路３２の出力がＬｏｗとなり、ツェナーダイオード２６のアノード側がインバータ２７によりオープンとなるので、電圧制限が解除される。
【００５７】
よって、室内未登録判断部３０が未登録であると認識した場合で、かつ、波高値制限選択部３１が現在の送信が室外機と判断した場合のみ、信号線５０に流れるデータの波高値を制限することが可能となる。
【００５８】
以上説明したように、室内未登録判定部３０が未登録報知要求を出し、かつ、波高値制限選択部３１が、室外機の通信が開始されたタイミングで波高値制限部２５に対し波高値制限を開始する要求を出力し、或いは、室内機の通信が開始されたタイミングで波高値制限部２５に対し波高値制限を解除する要求を出力することにより、送信の主体に応じて波高値を変化させることができる。
【００５９】
次に、未登録室内機検出部１７について図１２のフローチャートを用いてその処理内容を説明する。
【００６０】
ステップ１では、通常通信モードであるかどうかを判定する。通常通信モードで無い場合は処理を終了し、通常通信モードである場合はステップ２に進む。ステップ２では、室外機が現在送信中であるかどうかを判断する。現在送信中である場合はステップ３に進み、そうでない場合はステップ４に進む。
【００６１】
ステップ３では室外機が送信中である場合の信号線５０の波高値を波高値記憶部１８に記憶し終了する。ステップ４では、室内機からのデータを受信中であるかどうかを判断する。受信中である場合はステップ５へ進み、そうでない場合はステップ６へ進む。ステップ５では、室内機のデータ受信時の信号線５０の波高値を波高値記憶部１８に記憶し終了する。
【００６２】
ステップ６では、室外機が送信中に記憶した波高値と室内機が送信中に記憶した波高値を比較し、両者が異なる場合はステップ７へ進み、そうでない場合は処理を終了する。ステップ７では、波高値の違いにより未登録の室内機の存在が確認できたため、室外機制御装置１５に対し未登録室内機の存在を報知し、処理を終了する。
【００６３】
この様子を模式的に示したのが図１３である。図１３において、未登録室内機がない場合には、波高値αVで室外機１１及び室内機４０は通信を実施している。一方、未登録室内機がある場合には、室内機２０が波高値を制限するため、室外機１１が送信を実施する場合は波高値がβVで、室内機４０が送信する場合は波高値がαVとなり、その関係で通信を実施する事となる。
【００６４】
上記のように、通信線５０の波高値を室外機が送信状態のときのものと室内機が送信状態のときのものとを比較することにより、空気調和機が設置された状況等何らかの原因によりその差が小さい場合においても、複数のタイミングにより確実に変化を検出することができ、未登録室内機存在を確実に知ることができる。
【００６５】
未登録室内機の存在を認識した室外機制御装置１５は、現在登録されている室内機が全て停止するタイミングにあわせて、再度室内機の登録を行うことにより、全ての室内機の
登録を行うことができる。
【産業上の利用可能性】
【００６６】
本発明の空気調和機における未登録室内機追加装置は、マスター、スレーブ関係でのポーリングの通信方式をとる各種電気・電子機器の通信方式に適用でき、特に、スレーブを後から追加する形態をとるものに対して有用である。
【図面の簡単な説明】
【００６７】
【図１】本発明の実施の形態１による空気調和システムのブロック図
【図２】本発明の実施の形態１による室外通信装置１２の構成図
【図３】本発明の実施の形態１による室内通信装置２１と室内機制御装置２４の構成図
【図４】本発明の実施の形態１による一般的なマルチ型空気調和機の通信概要を説明する説明図
【図５】本発明の実施の形態１による室内未登録判定部３０の処理内容を示すフローチャート
【図６】本発明の実施の形態１による波高値制限部１６の構成を説明する回路図
【図７】本発明の実施の形態１による信号線５０上のデータに対する波高値制限有り無しを説明する模式図
【図８】本発明の実施の形態１による未登録室内機検出部１７の処理内容を示すフローチャート
【図９】本発明の実施の形態２による室内通信装置２１と室内機制御装置２４の構成図
【図１０】本発明の実施の形態２による波高値制限部１６の構成を説明する回路図
【図１１】本発明の実施の形態２による波高値制限選択部３１の処理内容を示すフローチャート
【図１２】本発明の実施の形態２による未登録室内機検出部１７の処理内容を示すフローチャート
【図１３】本発明の実施の形態２による信号線５０上のデータに対する波高値制限有り無しを説明する模式図
【符号の説明】
【００６８】
１０  空気調和システム
１１  室外機
１２  室外通信装置
１３  室外受信部
１４  室外送信部
１５  室外機制御装置
１６  波高値検出部
１７  未登録室内機検出部
１８  波高値記憶部
２０  室内機
２１  室内通信装置
２２  室内受信部
２３  室内送信部
２４  室内機制御装置
２５  波高値制限部
３０  室内未登録判定部
３１  波高値制限選択部
４０  室内機
５０  通信線
【図１】
2007032858.tif 000003
【図２】
2007032858.tif 000004
【図３】
2007032858.tif 000005
【図４】
2007032858.tif 000006
【図５】
2007032858.tif 000007
【図６】
2007032858.tif 000008
【図７】
2007032858.tif 000009
【図８】
2007032858.tif 000010
【図９】
2007032858.tif 000011
【図１０】
2007032858.tif 000012
【図１１】
2007032858.tif 000013
【図１２】
2007032858.tif 000014
【図１３】
2007032858.tif 000015